(57)【要約】【課題】従来の技術による諸問題を解決するため、キー・セルが押される瞬間と外される瞬間にプロセッサーが入力データを読み取るようにするキーボードを提供する。【解決手段】キーボードは、出力端が選択的に第一電圧または第二電圧と電気的に接続できる少なくとも１個のキー・セルを具えるキーモジュールと、キー・セルの出力端と電気的に接続されて、キー・セルの出力端における電圧が第一電圧から第二電圧に、または第二電圧から第一電圧に切り替えられるたびに制御信号ＣＳを生ずる検知回路と、キー・セルの出力端と電気的に接続されるパラレル／シリアルレジスターと、パラレル／シリアルレジスターと電気的に接続されて制御信号ＣＳによってパラレル／シリアルレジスターの動作を制御するプロセッサーとを含む。【選択図】図２
2005063195.tif 000002
【特許請求の範囲】
【請求項１】
キーボードであって、該キーボードは、
出力端が選択的に第一電圧または第二電圧と電気的に接続できる少なくとも１個のキー・セルを具えるキーモジュールと、
キー・セルの出力端と電気的に接続されて、キー・セルの出力端における電圧が第一電圧から第二電圧に、または第二電圧から第一電圧に切り替えられるたびに制御信号を生ずる検知回路と、
キー・セルの出力端と電気的に接続されるパラレル／シリアルレジスターと、
パラレル／シリアルレジスターと電気的に接続されて制御信号によってパラレル／シリアルレジスターの動作を制御するプロセッサーとを含むことを特徴とするキーボード。
【請求項２】
前記検知回路は、キーモジュールにおけるキー・セルに対応する少なくとも１個のコンデンサーを含むことを特徴とする請求項１記載のキーボード。
【請求項３】
前記検知回路は更に、コンデンサーにおける電圧を増幅する増幅回路を含むことを特徴とする請求項２記載のキーボード。
【請求項４】
前記検知回路は更に、増幅回路の出力端から出力される電圧が予定範囲内にあるかを比較して察知する一組のコンパレーターを含み、比較結果によって制御信号を生ずることを特徴とする請求項３記載のキーボード。
【請求項５】
前記一組のコンパレーターは、増幅回路の出力端から出力される電圧が正参考電圧を上回る場合に制御信号を生ずる正コンパレーターと、増幅回路の出力端から出力される電圧が負参考電圧を下回る場合に制御信号を生ずる負コンパレーターとを含むことを特徴とする請求項４記載のキーボード。
【請求項６】
前記検知回路は更に、入力端が一組のコンパレーターの出力端と電気的に接続されて出力端が制御信号を出力するＯＲゲートを含むことを特徴とする請求項４記載のキーボード。
【発明の詳細な説明】
【技術分野】
【０００１】
この発明はキーボードに関し、特にキー・セルが押される瞬間と外される瞬間にプロセッサーが入力データを読み取るようにするキーボードに関する。
【背景技術】
【０００２】
図１を参照する。図１は従来のキーボード１０のブロック図である。キーボード１０はマトリックスキーモジュール１２と、マトリックスキーモジュール１２と接続されるプロセッサー１４とを含む。マトリックスキーモジュール１２はマトリックス方式で配列される複数のキー・セルを含み、プロセッサー１４はポーリング方式でマトリックスキーモジュール１２におけるキー・セルの出力端Ｂ０〜Ｂ７の入力信号を読み取る。
【０００３】
従来の技術の欠点は、マトリックスキーモジュール１２のいずれのキー・セルが押されるたび、プロセッサー１４は継続的にマトリックスキーモジュール１２におけるキー・セルの出力端Ｂ０〜Ｂ７の入力信号を、キー・セルが外されるまでポーリングして、プロセッサー１４の機能を低下させることにある。
【発明の開示】
【発明が解決しようとする課題】
【０００４】
この発明は前述の問題を解決するため、キー・セルが押される瞬間と外される瞬間にプロセッサーが入力データを読み取るようにするキーボードを提供することを課題とする。
【課題を解決するための手段】
【０００５】
この発明はキーボードを提供する。該キーボードは、出力端が選択的に第一電圧または第二電圧と電気的に接続できる少なくとも１個のキー・セルを具えるキーモジュールと、キー・セルの出力端と電気的に接続されて、キー・セルの出力端における電圧が第一電圧から第二電圧に、または第二電圧から第一電圧に切り替えられるたびに制御信号を生ずる検知回路と、キー・セルの出力端と電気的に接続されるパラレル／シリアルレジスターと、パラレル／シリアルレジスターと電気的に接続されて制御信号によってパラレル／シリアルレジスターの動作を制御するプロセッサーとを含む。
【発明の効果】
【０００６】
この発明によるキーボードはキーモジュールと、検知回路と、パラレル／シリアルレジスターと、プロセッサーを含む。検知回路はキーモジュールによって入力される現在の入力信号と以前の入力信号との間の変化を検知する。言い換えれば検知回路は、キーモジュールのいずれのキー・セルが押されるか外されることを検知できる。プロセッサーは入力信号に変化がある場合にのみ現在の入力信号を入力する。よってこの発明によるキーボードは、いずれのキー・セルが押されるたびに継続的にポーリングしなければならないという従来の技術のおける欠点を改善し、プロセッサーの機能を向上させることができる。
かかるキーボードの特徴を詳述するために、具体的な実施例を挙げ、図示を参照にして以下に説明する。
【発明を実施するための最良の形態】
【０００７】
この発明によるキーボードは、キーモジュールにおけるキー・セルが押される瞬間または外される瞬間にコンデンサーにおいて生ずる電圧によって生ずる制御信号を通して、プロセッサーを制御してパラレル／シリアルレジスターからキーモジュールのキー・セルの出力端における入力信号を入力するものである。
【０００８】
図２を参照する。図２はこの発明によるキーボード５０のブロック図である。キーボード５０は、少なくとも１個のキー・セル（例えば図２におけるキー・セル６０、６１）を含むキーモジュール５２と、キーモジュール５２のキー・セル６０、６１の出力端ＯＵＴ６０、ＯＵＴ６１と電気的に接続される検知回路５４と、キー・セル６０、６１の出力端ＯＵＴ６０、ＯＵＴ６１と電気的に接続されるパラレル／シリアルレジスター５６と、パラレル／シリアルレジスター５６と検知回路５４と電気的に接続されて、検知回路５４からの制御信号ＣＳを通してパラレル／シリアルレジスター５６がキー・セル６０、６１の出力端ＯＵＴ６０、ＯＵＴ６１の入力信号に対する読み取りを制御するプロセッサー５８とを含む。
【０００９】
キーモジュール５２のキー・セル６０、６１はそれぞれスイッチＳＷ６０、ＳＷ６１を含む。キー・セル６０の出力端ＯＵＴ６０（またはキー・セル６１の出力端ＯＵＴ６１）はスイッチＳＷ６０（またはスイッチＳＷ６１）の開閉によりそれぞれ第一電圧ＶＣＣまたは第二電圧ＧＮＤと電気的に接続される。言い換えれば、キー・セル６０が押される場合、スイッチＳＷ６０はオフにされ、出力端ＯＵＴ６０は第二電圧ＧＮＤと電気的に接続されてロジック低電圧ＶＬを出力する。反対に、キー・セル６０が外される場合、スイッチＳＷ６０はオンにされ、出力端ＯＵＴ６０は第一電圧ＶＣＣと電気的に接続されてロジック高電圧ＶＨを出力する。出力端ＯＵＴ６０、ＯＵＴ６１におけるロジック高信号またはロジック低信号は入力信号にあたる。
【００１０】
検知回路５４は、キーモジュール５２のキー・セルに対応する少なくとも１個のコンデンサー（例えば図２において、キーモジュール５２のキー・セル６０、６１にそれぞれ対応するコンデンサー６４、６５）と、コンデンサー６４、６５と電気的に接続されてコンデンサー６４、６５における電圧を増幅する増幅器６６と、増幅器６６と電気的に接続されて、増幅器６６の出力端ＯＵＴａｍｐから出力される電圧が予定範囲内に介する場合に制御信号をそれぞれ出力する２個のコンパレーター６８、７０と、コンパレーター６８、７０の出力端と電気的に接続されるＯＲゲート７２とを含む。
【００１１】
キーモジュール５２のキー・セル６０（またはキー・セル６１）が押されるか外される瞬間、キー・セル６０のスイッチＳＷ６０はそれに応じてオフにされるかオンにされ、もしくは出力端ＯＵＴ６０はそれに応じて第二電圧ＧＮＤか第一電圧ＶＣＣに切り替えられる。その瞬間、検知回路５４はコンデンサー６４（またはコンデンサー６５）において生ずる１００−１５０ｍＶの過渡電圧Ｖｔｓを検知する。図３を参照する。図３はこの発明によるキーボード５０のキー・セル６０、６１が押されるか外される瞬間、検知回路５４が検知したコンデンサー６４、６５における過渡電圧Ｖｔｓと制御信号ＣＳの波形図である。図３によれば、キー・セル６０（またはキー・セル６１）が時間ｔ１（または時間ｔ２）において押される瞬間、キー・セル６０のスイッチＳＷ６０はオフにされ、出力端ＯＵＴ６０は第二電圧ＧＮＤに切り替えられる（即ち、キー・セル６０の出力端ＯＵＴ６０における入力信号がロジック低電圧ＶＬになる）。この場合、検知回路５４はコンデンサー６４において生ずる負過渡電圧Ｖｔｓ−を検知する。反対に、キー・セル６０（またはキー・セル６１）が時間ｔ３（または時間ｔ４）において外される瞬間、キー・セル６０のスイッチＳＷ６０はオンにされ、出力端ＯＵＴ６０は第一電圧ＶＣＣに切り替えられる（即ち、キー・セル６０の出力端ＯＵＴ６０における入力信号がロジック高電圧ＶＨになる）。この場合、検知回路５４はコンデンサー６４において生ずる正過渡電圧Ｖｔｓ＋を検知する。増幅器６６はコンデンサー６４、６５における正過渡電圧Ｖｔｓ＋と負過渡電圧Ｖｔｓ−を増幅し、また増幅された正過渡電圧Ｖｔｓ＋＋と負過渡電圧Ｖｔｓ--をコンパレーター６８、７０お入力端に入力する。この発明において、コンパレーター６８、７０は正コンパレーター６８と負コンパレーター７０に分けられる。検知回路５４は、増幅された正過渡電圧Ｖｔｓ＋が正コンパレーター６８のその他の入力端における正参考電圧Ｖｒｅｆ＋＋を上回り、または増幅された負過渡電圧Ｖｔｓ--が負コンパレーター７０のその他の入力端における負参考電圧Ｖｒｅｆ−を下回る場合において、ＯＲゲート７２の出力端ＯＵＴｏｒから制御信号を出力する。
【００１２】
プロセッサー５８は制御信号ＣＳを受信した後、パラレル／シリアルレジスター５６を制御して、パラレル方式でキーモジュール５２のあらゆるキー・セルの出力端における入力信号を入力させてから、シリアル方式で入力信号をいちいち入力させる。例えば、制御信号ＣＳを受信する時間ｔ１において、プロセッサー５８はパラレル／シリアルレジスター５６を制御して、パラレル方式でキー・セル６０、６１の出力端ＯＵＴ６０、ＯＵＴ６１における入力データ（０１）を入力させてから、シリアル方式で入力信号（０１）を読み取らせる。更に例えば、時間ｔ２、ｔ３、ｔ４において、プロセッサー５８はパラレル／シリアルレジスター５６を制御して、パラレル方式で入力データ（００）、（１０）、（１１）を入力させてから、シリアル方式で入力信号（００）、（１０）、（１１）を読み取らせる。プロセッサー５８は入力信号または入力信号の変化によって作動する。その作動は従来の技術によるもので、ここで説明を省略する。
【００１３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１４】
この発明によるキーボードは、キーモジュールのいずれのキー・セルが押されるか外される瞬間にのみキー・セルの出力端における入力信号を読み取る。よって、この発明はプロセッサーがキーモジュールに入力される入力信号を読み取る時間を節約して、プロセッサーの機能を向上させる。
【図面の簡単な説明】
【００１５】
【図１】従来のキーボードのブロック図である。
【図２】この発明によるキーボードのブロック図である。
【図３】この発明によるキーボードのキー・セルが押されるか外される瞬間、検知回路が検知したコンデンサーにおける過渡電圧と制御信号の波形図である。
【符号の説明】
【００１６】
１０、５０                  キーボード
１２、５２                  キーモジュール
１４、５８                  プロセッサー
５４                        検知回路
５６                        パラレル／シリアルレジスター
６０、６１                  キー・セル
６４、６５                  コンデンサー
６６                        増幅器
６８                        正コンパレーター
７０                        負コンパレーター
７２                        ＯＲゲート
【図１】
2005063195.tif 000003
【図２】
2005063195.tif 000004
【図３】
2005063195.tif 000005